(57)【要約】保留時の保留音の提供を効率的に行うことができる交換システム。パケット通信が可能な第１の通信端末（１００）と、第１の通信端末（１００）とパケット通信を行う第２の通信端末（１１０）と、第１の通信端末（１００）及び第２の通信端末（１１０）を接続するネットワーク（１３０）とを具備し、第１の通信端末（１００）が第２の通信端末（１１０）を保留状態にする際に、第１の通信端末（１００）は、保有する保留データ（１０３）を、保留データ変換手段（１０４）で第２の通信端末（１１０）の解釈可能な音声へ変換し、変換した音声を保留音として送信する。
2003053029.tif 000002
【特許請求の範囲】
【請求項１】
ネットワークを介して第１の通信端末と第２の通信端末とを接続する交換システムであって、
前記第１通信端末は、
前記第１通信端末が前記第２通信端末を保留状態にする際に用いられる保留データを記憶する記憶手段と、
前記記憶手段に記憶された保留データを、前記第２通信端末で処理可能なデータ形式に変換する変換手段と、
前記変換手段による変換後の保留データを前記第２通信手段に送信する送信手段と、を有し、
前記第２通信端末は、
前記第１通信端末から送信された変換後の保留データを受信する受信手段と、
受信された保留データを処理して再生する再生手段と、
を有する交換システム。
【請求項２】
前記ネットワークは、ＩＰ（Ｉｎｔｅｒｎｅｔ  Ｐｒｏｔｏｃｏｌ）ネットワークであり、前記第１通信端末および前記第２通信端末は、前記ＩＰネットワークを介して相互にパケット通信を行う、請求の範囲１記載の交換システム。
【請求項３】
前記第１通信端末と前記第２通信端末の間で送受信されるメッセージは、ＳＩＰ（Ｓｅｓｓｉｏｎ  Ｉｎｉｔｉａｔｉｏｎ  Ｐｒｏｔｏｃｏｌ）メッセージである、請求の範囲２記載の交換システム。
【請求項４】
前記ネットワークに接続され、前記第１通信端末と前記第２通信端末の通信を仲介する呼制御装置をさらに有する、請求の範囲１記載の交換システム。
【請求項５】
前記ネットワークに接続され、前記第１通信端末と前記第２通信端末の通信を中継するスイッチ装置をさらに有し、
前記スイッチ装置は、
各通信端末間で送受信される制御メッセージの配信先を切り替え先のパス情報として記憶するパス情報記憶手段と、
前記パス情報記憶手段に記憶されたパス情報に基づいて、パスの切り替えを行い、前記第１通信端末から送信された変換後の保留データを前記第２通信端末に伝送する切り替え手段と、
を有する、請求の範囲１記載の交換システム。
【請求項６】
ネットワークを介して接続された他の通信端末を保留状態にする際に用いられる保留データを記憶する記憶手段と、
前記記憶手段に記憶された保留データを、前記他の通信端末で処理可能なデータ形式に変換する変換手段と、
前記変換手段による変換後の保留データを前記他の通信手段に送信する送信手段と、
を有する通信端末。
【請求項７】
ネットワークに接続され、第１の通信端末と第２の通信端末の通信を中継するスイッチ装置であって、
各通信端末間で送受信される制御メッセージの配信先を切り替え先のパス情報として記憶するパス情報記憶手段と、
前記パス情報記憶手段に記憶されたパス情報に基づいて、パスの切り替えを行い、前記第１通信端末から送信されたデータを前記第２通信端末に伝送する切り替え手段と、
を有するスイッチ装置。
【請求項８】
ネットワークを介して第１の通信端末と第２の通信端末とを接続する交換システムであって、
前記第１通信端末は、
前記第１通信端末が前記第２通信端末を保留状態にする際に用いられる保留データを記憶する記憶手段と、
前記記憶手段に記憶された保留データを、保留時に前記第１通信端末から前記第２通信端末に送信される保留メッセージに添付する添付手段と、
前記添付手段によって保留データが添付された保留メッセージを送信する送信手段と、を有し、
前記第２通信端末は、
前記第１通信端末から送信された保留データ添付後の保留メッセージを受信する受信手段と、
受信された保留メッセージに添付された保留データを取得する取得手段と、
前記取得手段によって取得された保留データを、前記第２通信端末で処理可能なデータ形式に変換する変換手段と、
前記変換手段による変換後の保留データを処理して再生する再生手段と、
を有する交換システム。
【請求項９】
前記ネットワークは、ＩＰネットワークであり、前記第１通信端末および前記第２通信端末は、前記ＩＰネットワークを介して相互にパケット通信を行う、請求の範囲８記載の交換システム。
【請求項１０】
前記第１通信端末と前記第２通信端末の間で送受信されるメッセージは、ＳＩＰメッセージである、請求の範囲９記載の交換システム。
【請求項１１】
前記ネットワークに接続され、前記第１通信端末と前記第２通信端末の通信を仲介する呼制御装置をさらに有する、請求の範囲８記載の交換システム。
【請求項１２】
前記ネットワークに接続され、前記第１通信端末と前記第２通信端末の通信を中継するスイッチ装置をさらに有し、
前記スイッチ装置は、
各通信端末間で送受信される制御メッセージの配信先を切り替え先のパス情報として記憶するパス情報記憶手段と、
前記パス情報記憶手段に記憶されたパス情報に基づいて、パスの切り替えを行い、前記第１通信端末から送信された保留データ添付後の保留メッセージを前記第２通信端末に伝送する切り替え手段と、
を有する、請求の範囲８記載の交換システム。
【請求項１３】
ネットワークを介して接続された他の通信端末を保留状態にする際に用いられる保留データを記憶する記憶手段と、
前記記憶手段に記憶された保留データを、保留時に当該通信端末から前記他の通信端末に送信される保留メッセージに添付する添付手段と、
前記添付手段によって保留データが添付された保留メッセージを送信する送信手段と、
を有する端末装置。
【請求項１４】
ネットワークを介して接続された他の通信端末から送信された保留データ添付後の保留メッセージを受信する受信手段と、
受信された保留メッセージに添付された保留データを取得する取得手段と、
前記取得手段によって取得された保留データを、当該通信端末で処理可能なデータ形式に変換する変換手段と、
前記変換手段による変換後の保留データを処理して再生する再生手段と、
を有する端末装置。
【請求項１５】
ネットワークを介して呼制御装置の仲介により第１の通信端末と第２の通信端末とを接続する交換システムであって、
前記第１通信端末は、
前記第１通信端末が前記第２通信端末を保留状態にする際に用いられる保留データを記憶する記憶手段と、
前記記憶手段に記憶された保留データを、保留時に前記第１通信端末から前記第２通信端末に送信される保留メッセージに添付する第１添付手段と、
前記第１添付手段によって保留データが添付された保留メッセージを送信する第１送信手段と、を有し、
前記呼制御装置は、
前記第１通信端末から送信された保留データ添付後の保留メッセージを受信する第１受信手段と、
受信された保留メッセージに添付された保留データを取得する第１取得手段と、
前記第１取得手段によって取得された保留データを、前記第２通信端末で処理可能なデータ形式に変換する変換手段と、
前記変換手段による変換後の保留データを、前記受信された保留メッセージに添付する第２添付手段と、
前記第２添付手段によって変換後の保留データが添付された保留メッセージを送信する第２送信手段と、を有し、
前記第２通信端末は、
前記呼制御装置から送信された変換後の保留データ添付後の保留メッセージを受信する第２受信手段と、
受信された保留メッセージに添付された変換後の保留データを取得する第２取得手段と、
前記第２取得手段によって取得された変換後の保留データを処理して再生する再生手段と、
を有する交換システム。
【請求項１６】
前記ネットワークは、ＩＰネットワークであり、前記第１通信端末および前記第２通信端末は、前記ＩＰネットワークを介して相互にパケット通信を行う、請求の範囲１５記載の交換システム。
【請求項１７】
前記呼制御装置の仲介により前記第１通信端末と前記第２通信端末の間で送受信されるメッセージは、ＳＩＰメッセージである、請求の範囲１５記載の交換システム。
【請求項１８】
前記呼制御装置は、
各通信端末で処理可能なデータ形式に関する情報を記憶するデータベース手段、をさらに有し、
前記変換手段は、
前記第１取得手段によって取得された保留データを、前記データベース手段に記憶された情報に基づいて、前記第２通信端末で処理可能なデータ形式に変換する、
請求の範囲１５記載の交換システム。
【請求項１９】
前記ネットワークに接続され、前記呼制御装置を介して前記第１通信端末と前記第２通信端末の通信を中継するスイッチ装置をさらに有し、
前記スイッチ装置は、
前記呼制御装置を介して各通信端末間で送受信される制御メッセージの配信先を切り替え先のパス情報として記憶するパス情報記憶手段と、
前記パス情報記憶手段に記憶されたパス情報に基づいて、パスの切り替えを行い、前記第１通信端末から送信された保留データ添付後の保留メッセージを前記呼制御装置に伝送し、前記呼制御装置から送信された変換後の保留データ添付後の保留メッセージを前記第２通信端末に伝送する切り替え手段と、
を有する、請求の範囲１５記載の交換システム。
【請求項２０】
第１の通信端末と第２の通信端末とを接続するネットワークに接続され、前記第１通信端末と前記第２通信端末の通信を仲介する呼制御装置であって、
前記第１通信端末から送信された保留データ添付後の保留メッセージを受信する受信手段と、
受信された保留メッセージに添付された保留データを取得する取得手段と、
前記取得手段によって取得された保留データを、前記第２通信端末で処理可能なデータ形式に変換する変換手段と、
前記変換手段による変換後の保留データを、前記受信された保留メッセージに添付する添付手段と、
前記添付手段によって変換後の保留データが添付された保留メッセージを送信する送信手段と、
を有する呼制御装置。
【請求項２１】
ネットワークに接続され、呼制御装置を介して第１の通信端末と第２の通信端末の通信を中継するスイッチ装置であって、
前記呼制御装置を介して各通信端末間で送受信される制御メッセージの配信先を切り替え先のパス情報として記憶するパス情報記憶手段と、
前記パス情報記憶手段に記憶されたパス情報に基づいて、パスの切り替えを行い、前記第１通信端末から送信されたデータを前記呼制御装置に伝送し、前記呼制御装置から送信されたデータを前記第２通信端末に伝送する切り替え手段と、
を有するスイッチ装置。
【発明の詳細な説明】
技術分野
本発明は、例えば、インターネットやＬＡＮ等を介して通信端末間でリアルタイムで行われる音声通話等を交換する交換システムに関し、特に、通話を途中で保留したり、他の通信端末に転送したりする処理の効率化を図るものである。
背景技術
近年、パソコンだけではなく、通常の家庭用電話端末からもインターネットのＩＰ（Ｉｎｔｅｒｎｅｔ  Ｐｒｏｔｏｃｏｌ）ネットワークを介して通話を行うＩＰ電話が、急速な勢いで普及し始めている。
しかし、従来のオフィス内にＰＢＸを導入して構築した電話網を、ＩＰネットワークを利用するものに置き換える場合、ＰＢＸが担ってきた様々な電話サービスを実現するためには、工夫が必要である。
標準的なＰＢＸが行う電話サービスには、保留や転送サービスがある。これは、外線または内線から掛かってきた通話を保留して音楽等の保留音を送出したり、あるいは、保留した後、転送先の電話端末へ通話を転送したりするポピュラーなサービスである。従来の電話網はデータ網と完全に分離しており、ＰＢＸはデータ網から隔離された電話網で電話機能を実現していたが、ＩＰネットワーク上でこれまでと同様に保留や転送などの機能を実現する場合には、１つのデータ網上で通常のデータ通信と共に電話機能を実現することになり、端末能力やネットワーク負荷などを考慮することが必要になる。
特開２０００−５９４７１号公報（従来例１）には、保留時に、性能の低い保留先端末でも正常に保留音が再生できるように構成したインターネット電話システムが開示されている。このシステムは、図１に示すように、それぞれＩＰネットワーク３に接続して通信を行う通信端末１と通信端末２とから成る。通信端末１は、通信全般を司る通信手段４と、幾つかの異なる音声圧縮符号化方式で圧縮された第１の保留音５、第２の保留音６等と、通信手段４や第１保留音５、第２保留音６等を制御する通信端末全体制御手段７とを備えている。
このシステムの通信端末１と通信端末２とは、どちらか一方から発呼して互いの音声コーデック（符号器／復号器）の情報を交換し、通話で使用する音声符号化／復号化方式をネゴシエーションした後、音声通話状態に移行する。
この音声通話状態において、通信端末１で保留の操作が行われると、通信端末１は通信端末２を保留状態にする。そして、通信端末全体制御手段７は、通信端末２の音声コーデック情報に基づいて、通信端末１が保持する保留音、すなわち、第１の保留音５、第２の保留音６等の中から、通信端末２が解釈可能な保留音を選択して通信端末２へ送信する。
こうすることで、能力の異なる２つの通信端末間でも保留音を端末から端末へ提供することが可能になる。
また、特開２０００−２９５３５４号公報（従来例２）には、保留状態の通信端末に、専用のサーバから保留音（音楽）を提供する保留システムが開示されている。このシステムは、図２に示すように、ネットワーク４０に接続して通信を行う通信端末１０、２０と、ネットワーク４０に接続して保留音を提供するサーバ３０とから成る。
通信端末２０は、通信全般を司る通信手段２１と、通信手段２１が受信したメッセージに添付された保留音等のデータを解析する添付データ解析手段２２と、通信手段２１及び添付データ解析手段２２を制御する通信端末全体制御手段２３とを備えている。
また、サーバ３０は、サーバ３０の通信全般を司る通信手段３１と、サーバ３０内に保持する保留音３２と、保留音３２を再生するためのメディアプレーヤ３３と、保留音３２及びメディアプレーヤ３３を通信端末２０へのメッセージに添付する添付データ生成手段３４と、通信手段３１、保留音３２、メディアプレーヤ３３及び添付データ生成手段３４を制御するサーバ全体制御手段３５とを備えている。
このシステムでは、通信端末２０が保留状態になると、サーバ３０から通信端末２０に保留音楽が提供される。サーバ３０は、サーバ全体制御手段３５の制御のもとに、添付データ生成手段３４で、保留音３２とメディアプレーヤ３３とをメッセージに添付し、通信手段３１を用いて、このメッセージを通信端末２０へ送信する。
このとき、サーバ３０は、ネットワーク４０の負荷を軽減するように通信端末２０に保留音楽を提供する。そのため、サーバ３０は、ネットワーク４０のスループットを常に監視し、使用可能な帯域幅の量を検出して、その量に応じた送り方をする。
通信端末２０では、通信手段２１がメッセージを受信し、添付データ解析手段２２が、受信されたメッセージから、添付された保留音とメディアプレーヤとを取得し、メディアプレーヤを用いて保留音を再生する。
また、特開２０００−２７００２６号公報（従来例３）には、従来の電話網の各交換機をインターネットで中継するシステムにおいて、交換機に収容された端末の通話を他の交換機に収容された端末に転送する場合の効果的な音声パスの接続方式が開示されている。
この方式でのシーケンスを図３に示している。ここでは、通信端末Ａが、通信端末Ｂとの通話中に、これを保留して、通信端末Ｃに転送する場合を示している。
通信端末Ａは、通信端末Ｂと通話中（通話音声５１）である時、通信端末Ｂを保留状態にして（保留処理５２）、保留音５３を提供し、一方で、通信端末Ｃへの接続処理５４を行い、通話を開始して（通話音声５５）、通信端末Ｃに対し、通信端末Ｂの通信端末Ｃへの通話要求を音声で伝える。次いで、通信端末Ａは、通信端末Ｃとの通話を切断し（切断処理５６）、通信端末Ｂに対し通信端末Ｃへの転送が可能であることを伝える（転送処理５７）。通信端末Ｂは、通信端末Ｃへの接続処理５８を行い、通話を開始し（通話音声５９）、通信端末Ａとの通話を切断する（切断処理６０）。
こうした手順により、通信端末Ａと通信端末Ｂとの通話を通信端末Ｂと通信端末Ｃとの通話に転送することができる。
しかし、特開２０００−５９４７１号公報に開示されたシステム（従来例１）では、１つの保留音に対してコーデックの数だけ保留音を揃えておく必要があり、無駄が生じる。また、端末が複数の保留音を保持し、その中から通話相手に応じた保留音を選択して提供するシステムを実現しようとすると、その保留音の種類とコーデックの数とを掛け合わせた数の保留音を端末内に保持する必要があり、端末のメモリ容量の多くが消費されるという問題点がある。
また、特開２０００−２９５３５４号公報に開示された保留システム（従来例２）では、保留音を提供する度に、保留音に対応したメディアプレーヤを添付して送信するという無駄が生じている。
また、特開２０００−２７００２６号公報に開示されたシステム（従来例３）では、転送の際に、通信端末Ａ、Ｂのそれぞれが音声パスを一時的に２本（例えば、通信端末Ａは、通信端末Ｂに保留音を提供する音声パスと、通信端末Ｃに音声で通信端末Ｂの転送要求を伝達する音声パスとの２本）持つことになり、端末上での音声パスの制御やバッファの制御などに多大な負荷を要することになる。また、転送元の通信端末Ａが転送先の通信端末Ｃへ音声通話による転送要求伝達を行うことが必要になり、業務などで忙しい転送元や転送先のユーザに多大な負担を強いることになる。
発明の開示
本発明の目的は、保留時の保留音の提供を効率的に行うことができる交換システムを提供することである。
本発明の他の目的は、転送における処理を効率的に行うことができる交換システムを提供することである。
本発明の一形態によれば、交換システムは、ネットワークを介して第１の通信端末と第２の通信端末とを接続する交換システムであって、前記第１通信端末は、前記第１通信端末が前記第２通信端末を保留状態にする際に用いられる保留データを記憶する記憶手段と、前記記憶手段に記憶された保留データを、前記第２通信端末で処理可能なデータ形式に変換する変換手段と、前記変換手段による変換後の保留データを前記第２通信手段に送信する送信手段とを有し、前記第２通信端末は、前記第１通信端末から送信された変換後の保留データを受信する受信手段と、受信された保留データを処理して再生する再生手段とを有する。
本発明の他の形態によれば、交換システムは、ネットワークを介して第１の通信端末と第２の通信端末とを接続する交換システムであって、前記第１通信端末は、前記第１通信端末が前記第２通信端末を保留状態にする際に用いられる保留データを記憶する記憶手段と、前記記憶手段に記憶された保留データを、保留時に前記第１通信端末から前記第２通信端末に送信される保留メッセージに添付する添付手段と、前記添付手段によって保留データが添付された保留メッセージを送信する送信手段とを有し、前記第２通信端末は、前記第１通信端末から送信された保留データ添付後の保留メッセージを受信する受信手段と、受信された保留メッセージに添付された保留データを取得する取得手段と、前記取得手段によって取得された保留データを、前記第２通信端末で処理可能なデータ形式に変換する変換手段と、前記変換手段による変換後の保留データを処理して再生する再生手段とを有する。
本発明のさらに他の形態によれば、交換システムは、ネットワークを介して呼制御装置の仲介により第１の通信端末と第２の通信端末とを接続する交換システムであって、前記第１通信端末は、前記第１通信端末が前記第２通信端末を保留状態にする際に用いられる保留データを記憶する記憶手段と、前記記憶手段に記憶された保留データを、保留時に前記第１通信端末から前記第２通信端末に送信される保留メッセージに添付する第１添付手段と、前記第１添付手段によって保留データが添付された保留メッセージを送信する第１送信手段とを有し、前記呼制御装置は、前記第１通信端末から送信された保留データ添付後の保留メッセージを受信する第１受信手段と、受信された保留メッセージに添付された保留データを取得する第１取得手段と、前記第１取得手段によって取得された保留データを、前記第２通信端末で処理可能なデータ形式に変換する変換手段と、前記変換手段による変換後の保留データを、前記受信された保留メッセージに添付する第２添付手段と、前記第２添付手段によって変換後の保留データが添付された保留メッセージを送信する第２送信手段とを有し、前記第２通信端末は、前記呼制御装置から送信された変換後の保留データ添付後の保留メッセージを受信する第２受信手段と、受信された保留メッセージに添付された変換後の保留データを取得する第２取得手段と、前記第２取得手段によって取得された変換後の保留データを処理して再生する再生手段とを有する。
本発明のさらに他の形態によれば、交換システムは、ネットワークを介して呼制御装置の仲介により第１の通信端末と第２の通信端末とを接続する交換システムであって、前記呼制御装置は、配下の通信端末が利用する保留データを記憶する記憶手段と、前記記憶手段に記憶された保留データを、マルチキャストにより常時配信する配信手段と、前記第１通信端末が前記第２通信端末を保留状態にする際に前記第１通信端末から前記第２通信端末に送信される保留メッセージに、前記配信手段によって配信された保留データを受信するためのマルチキャストアドレスを付与する付与手段と、前記付与手段によってマルチキャストアドレスが付与された保留メッセージを送信する送信手段とを有し、前記第２通信端末は、前記呼制御装置から送信されたマルチキャストアドレス付与後の保留メッセージを受信する第１受信手段と、受信された保留メッセージに付与されたマルチキャストアドレスを取得する取得手段と、前記取得手段によって取得されたマルチキャストアドレスを用いて、前記配信手段によって配信された保留データを受信する第２受信手段と、受信された保留データを、前記第２通信端末で処理可能なデータ形式に変換する変換手段と、前記変換手段による変換後の保留データを処理して再生する再生手段とを有する。
本発明のさらに他の形態によれば、交換システムは、転送元の第１通信端末と、マルチキャストを利用して前記第１通信端末と通信を行う通話先の第２通信端末と、マルチキャストを利用して前記第１通信端末および前記第２通信端末と通信を行う転送先の第３通信端末と、前記第１通信端末、前記第２通信端末、および前記第３通信端末を接続するネットワークとを具備する交換システムであって、前記第１通信端末は、転送時において前記第１通信端末が前記第２通信端末を保留状態にした際に前記第１通信端末から前記第３通信端末に送信される接続メッセージに、マルチキャストアドレスを付与する付与手段と、前記付与手段によってマルチキャストアドレスが付与された接続メッセージを送信する第１送信手段と、前記第１通信端末と前記第３通信端末との通話が確立した後、前記第２通信端末に転送メッセージを送信するとともに、マルチキャストグループから離脱する第２送信手段とを有し、前記第３通信端末は、前記第１通信端末から送信されたマルチキャストアドレス付与後の接続メッセージを受信する第１受信手段と、受信された接続メッセージに付与されたマルチキャストアドレスを取得する取得手段と、前記取得手段によって取得されたマルチキャストアドレスを用いて、前記第３通信端末と前記第１通信端末との通話を確立する第１確立手段とを有し、前記第２通信端末は、前記第１通信端末と前記第３通信端末との通話が確立した際に、マルチキャストにより受信する通話を遮断する遮断手段と、前記第１通信端末から送信された転送メッセージを受信する第２受信手段と、受信された転送メッセージに基づいて、前記遮断手段の動作を停止して、前記第２通信端末と前記第３通信端末との通話を確立する第２確立手段とを有する。
本発明のさらに他の形態によれば、交換システムは、転送先の第１通信端末と、前記第１通信端末と通信を行う通話先の第２通信端末と、前記第１通信端末および前記第２通信端末と通信を行う転送先の第３通信端末と、前記第１通信端末、前記第２通信端末、および前記第３通信端末を接続するネットワークと、前記ネットワークに接続され、前記第１通信端末、前記第２通信端末、および前記第３通信端末の間の通信を仲介する呼制御装置とを具備する交換システムであって、前記呼制御装置は、配下の通信端末のプレゼンス情報を記憶する記憶手段と、前記第１通信端末からの要求に応じて、前記第３通信端末のプレゼンス情報を送信する第１送信手段とを有し、前記第１通信端末は、転送時において前記第１通信端末が前記第２通信端末を保留状態にした際に、前記呼制御装置に対し前記第３通信端末のプレゼンス情報を要求する要求手段と、前記呼制御装置から送信された前記第３通信端末のプレゼンス情報を受信する第１受信手段と、受信されたプレゼンス情報に基づいて、前記第３通信端末に対し前記第２通信端末の宛先情報を含む転送メッセージを送信する第２送信手段とを有し、前記第３通信端末は、前記第１通信端末から送信された転送メッセージを受信する第２受信手段と、受信された転送メッセージに含まれる前記第２通信端末の宛先情報に基づいて、前記第２通信端末に接続メッセージを送信して、前記第３通信端末と前記第２通信端末との通話を確立する確立手段とを有する。
本発明のさらに他の形態によれば、交換システムは、転送先の第１通信端末と、前記第１通信端末と通信を行う通話先の第２通信端末と、前記第１通信端末および前記第２通信端末と通信を行う転送先の第３通信端末と、前記第１通信端末、前記第２通信端末、および前記第３通信端末を接続するネットワークと、前記ネットワークに接続され、前記第１通信端末からのデータを中継し、前記第２通信端末および前記第３通信端末に伝送するスイッチ装置とを具備する交換システムであって、前記スイッチ装置は、各通信端末間で送受信される制御メッセージの配信先を切り替え先のパス情報として記憶するパス情報記憶手段と、転送時に、前記記憶手段に記憶されたパス情報に基づいて、前記スイッチ装置と前記第２通信端末との間のパスを前記スイッチ装置と前記第３通信端末とのパスに切り替える切り替え手段とを有する。
発明を実施するための最良の形態
以下、本発明の実施の形態について、添付図面を参照して詳細に説明する。なお、本発明は、これら実施の形態に何ら限定されるものではなく、その要旨を逸脱しない範囲において、種々の形態で実施することができる。
（実施の形態１）
実施の形態１では、保留時の保留音を、保留音の元データから変換して生成する交換システムについて説明する。
この交換システムは、図４に示すように、インターネット網や、ＬＡＮ、ＩＰ−ＶＰＮ等の専用線などから成るＩＰネットワーク１３０と、ＩＰネットワーク１３０に接続し、電話機能を保有する通信端末１００、１１０と、アドレス解析を行い、通信端末１００と通信端末１１０との接続を実行する呼制御装置１２０と、受信したパケットを正しい送信先の端末に送るように中継・送信するスイッチ１４０、１５０、１６０とで構成されている。
通信端末１００、１１０は、例えば、ＩＰ電話である。保留操作を行う側の通信端末１００は、少なくともパケットによる通信を行う通信手段１０１と、保留メッセージを生成・解析する保留手段１０２と、通信端末１００が保留音として利用する保留データ１０３と、保留データ１０３を所望の音声コーデックで処理できる音声データに変換する保留データ変換手段１０４と、通信手段１０１、保留手段１０２及び保留データ変換手段１０４を制御する通信端末全体制御手段１０５とを備えている。
保留データ１０３は、例えば、音声データやテキストデータである。保留データ変換手段１０４は、保留データ１０３が音声データの場合、音声コーデックによる変換を行い、また、保留データ１０３がテキストデータの場合、音声合成による変換を行う。
また、一方の通信端末１１０は、少なくともパケットによる通信を行う通信手段１１１と、保留メッセージを生成・解析する保留手段１１２と、通信手段１１１及び保留手段１１２を制御する通信端末全体制御手段１１３とを備えている。
なお、通信端末１００及び通信端末１１０の各手段の機能は、それぞれの通信端末に内蔵されたコンピュータがプログラムに規定された処理を実行することにより実現される。
また、スイッチ１４０〜１６０は、ネットワーク１３０の種類（ＬＡＮ、インターネット網など）に応じたルータ機能を持ち、受信したパケットの送信先アドレスを内部のアドレステーブルと照らし合わせ、送信先の端末が繋がっているポートにのみパケットを送出する。
次いで、この交換システムの保留時の動作の一例を、図５を用いて説明する。
図５は、通信端末１００と通信端末１１０とが通話状態である時、通信端末１００が通信端末１１０へ保留メッセージを送信し、通信端末１１０が保留メッセージ応答を返すと、通信端末１００が保留データ１０３を通信端末１１０との通話に用いた符号化・復号化方式の音声データへ変換し、この保留音を通信端末１１０へ送信する手順を示している。なお、ここでは、保留データ１０３はＧ．７１１の音声データであり、また、通信端末１００−呼制御装置１２０−通信端末１１０を流れるメッセージはＩＰ電話で呼設定を行うためのプロトコルのＳＩＰ（Ｓｅｓｓｉｏｎ  Ｉｎｉｔｉａｔｉｏｎ  Ｐｒｏｔｏｃｏｌ）メッセージであるとして、説明を進める。
通信端末１００は、通信端末１１０と通話状態（通話音声で通話中）にある時（Ｓ１０００）、ユーザなどによる保留操作を検知すると（Ｓ１１００）、通信端末全体制御手段１０５の制御のもとに、保留手段１０２から、通信手段１０１を介してＳＩＰ保留メッセージを呼制御装置１２０へ送信する（Ｓ１２００）。このＳＩＰ保留メッセージのヘッダには、発信側及び着信側を識別するアドレス情報が含まれている。また、このＳＩＰ保留メッセージのデータとして通信端末１００と通信端末１１０との通話を保留状態にすることを示す保留コマンドが含まれている。
そして、呼制御装置１２０は、ＳＩＰ保留メッセージを受信し（Ｓ１２００）、アドレス解析を行い、通信端末１１０へＳＩＰ保留メッセージを送信する（Ｓ１３００）。
そして、通信端末１１０は、通信端末全体制御手段１１３の制御のもとに、通信手段１１１で保留メッセージを受信し（Ｓ１３００）、保留手段１１２から通信手段１１１を介してＳＩＰ保留メッセージ応答を呼制御装置１２０へ送信する（Ｓ１４００）。
そして、呼制御装置１２０は、ＳＩＰ保留メッセージ応答を受信し（Ｓ１４００）、アドレス解析を行い、通信端末１００へＳＩＰ保留メッセージ応答を送信する（Ｓ１５００）。
そして、通信端末１００は、通信端末全体制御手段１０５の制御のもとに、通信手段１０１でＳＩＰ保留メッセージ応答を受信し（Ｓ１５００）、保留データ変換手段１０４により、Ｇ．７１１音声である保留データ１０３を、呼制御接続時（Ｓ１０００）の通話音声で利用した音声符号化・復号化方式での音声データに変換し（Ｓ１６００）、変換後の保留音を、通信手段１０１を介して、通信端末１１０へ送信する（Ｓ１７００）。
そして、通信端末１１０は、通信端末全体制御手段１１３の制御のもとに、通信手段１１１で保留音を受信し（Ｓ１７００）、音声デバイスを用いて保留音再生を行う（Ｓ１８００）。
このように、本実施の形態の交換システムでは、保留元の通信端末内に、保留データを所望のコーデックの音声データに変換する保留データ変換手段を備えているため、保留音を、通話に利用したコーデックの音声データに変換することにより、相手端末が解釈可能な保留音を相手端末へ提供することが可能になる。このデータ変換手段に要するメモリ容量は、１つの保留音に対してコーデックの数だけ保留音を揃える従来システムでのメモリ容量に比べて、格段に少なくて済む。
なお、本実施の形態の構成は、下記のように、種々の変更が可能である。
第１に、本実施の形態では、保留データ変換手段１０４が、Ｇ．７１１の音声データを、通信端末１００と通信端末１１０との通話音声に利用したコーデックの音声データに変換するものとして説明したが、保留データ１０３が他のコーデックの音声データである場合でも、保留データ変換手段１０４が、そのコーデックから通信端末１００と通信端末１１０との通話音声に利用した音声コーデックへの変換アルゴリズムを保持することにより、本実施の形態の動作が可能になる。
第２に、通信端末１００は、通信端末１１０との呼接続における能力交換時または予め、通信端末１１０の解釈可能な音声コーデック一覧を取得して保持し、保留データ変換手段１０４が、この音声コーデック一覧に基づいて、通信端末１１０の解釈可能な音声コーデックの音声データに変換するようにしても良い。
第３に、本実施の形態では、保留データ１０３が音声データの場合を説明したが、保留データ１０３がテキストデータであっても、保留データ変換手段１０４が音声合成により所望のコーデックの音声データに変換することで、本実施の形態の動作が可能になる。
さらに、本実施の形態では、保留データ１０３が音声データの場合を説明したが、保留データ１０３が映像データであっても、保留データ変換手段１０４が所望のコーデックの映像データに変換することで、本実施の形態の動作が可能になる。
この場合、所望のコーデックの映像データは、通信端末１００が、通信端末１１０との呼接続における能力交換時または予め、通信端末１１０の解釈可能な映像コーデック一覧を取得して保持し、保留データ変換手段１０４が、この映像コーデック一覧に基づいて、取得することが可能である。
第４に、本実施の形態では、各通信端末及び呼制御装置がネットワーク１３０に接続する際にそれぞれ別のスイッチを介していたが、１台以上の通信端末又は１台以上の通信端末と呼制御装置とが同じスイッチを介してネットワーク１３０に接続するようにしても良い。
第５に、本実施の形態では、保留メッセージとしてＳＩＰメッセージを用いる場合を説明したが、他のメッセージによっても本実施の形態の動作は可能である。
第６に、本実施の形態では、通信端末１００と通信端末１１０との通信を呼制御装置１２０経由で行う場合を説明したが、通信端末１００が通信端末１１０のアドレスを保持することで、通信端末１００と通信端末１１０とが呼制御装置１２０を介さずに通信でき、本実施の形態の動作が可能になる。
また、第７に、本実施の形態では、通信端末１００が通信端末１１０へ保留音を提供する場合を説明したが、いかなる通信端末であっても保留元が通信端末１００、保留先が通信端末１１０と同様の構成を保持することで、本実施の形態の動作が可能になる。
（実施の形態２）
実施の形態２では、保留音の提供を受ける通信端末側が、受信した保留データを解釈可能な保留音に変換する交換システムについて説明する。
この交換システムでは、図６に示すように、保留音を提供する通信端末２００が、保留データ変換手段に代えて、保留手段１０２で生成された保留メッセージに保留データ１０３を添付する添付データ生成手段２０１を備えており、また、保留音の提供を受ける通信端末２１０が、保留手段１１２で解析された保留メッセージに添付されている保留データを取得する添付データ解析手段２１１と、添付データ解析手段２１１で取得された保留データを通信端末２１０が対応する音声コーデックの音声データに変換する保留データ変換手段２１２とを備えている。その他の構成は、実施の形態１（図１参照）と変わりがない。
保留データ変換手段２１２は、実施の形態１と同様、添付された保留データが音声データの場合には、音声コーデックでの変換を行い、また、添付された保留データがテキストデータの場合には、音声合成による変換を行う。
図７は、通信端末２００が呼制御装置１４０を介して通信端末２１０と通信を行う保留メッセージのデータ構造を示している。図７に示すように、保留メッセージは、通信端末２００と通信端末２１０との通話を保留状態にすることを示す保留コマンドフィールド２２１と、通信端末２００内の保留データ１０３を添付する未変換保留データフィールド２２２とから成る。未変換保留データ２２２は、例えば、音声データやテキストデータである。
なお、通信端末２００及び通信端末２１０の各手段の機能は、実施の形態１と同様、それぞれの通信端末に内蔵されたコンピュータがプログラムに規定された処理を実行することにより実現される。
次いで、この交換システムの保留時の動作の一例を、図８を用いて説明する。なお、ここでも、実施の形態１と同様、保留データ１０３はＧ．７１１の音声データであり、通信端末２００−呼制御装置１４０−通信端末２１０を流れるメッセージはＳＩＰメッセージであるとして、説明を進める。
通信端末２００は、通信端末２１０と通話状態（通話音声で通話中）にある時（Ｓ２０００）、ユーザなどによる保留操作を検知すると（Ｓ２１００）、通信端末全体制御手段２０２の制御のもとに、保留手段１０２でＳＩＰ保留メッセージを生成し、添付データ生成手段２０１によりＳＩＰ保留メッセージに保留データ１０３を添付し、保留手段１０２から、通信手段１０１を介して、保留データ１０３を添付したＳＩＰ保留メッセージ（保留コマンド２２１及び保留データ１０３からなる未変換保留データ２２２、図７参照）を呼制御装置１４０へ送信する（Ｓ２２００）。
そして、呼制御装置１４０は、ＳＩＰ保留メッセージを受信し（Ｓ２２００）、アドレス解析を行い、通信端末２１０へＳＩＰ保留メッセージを送信する（Ｓ２３００）。
そして、通信端末２１０は、通信端末全体制御手段２１３の制御のもとに、通信手段１１１でＳＩＰ保留メッセージを受信し（Ｓ２３００）、保留手段１１２から通信手段１１１を介してＳＩＰ保留メッセージ応答を呼制御装置１４０へ送信する一方（Ｓ２４００）、添付データ解析手段２１１で、受信したＳＩＰ保留メッセージからＧ．７１１音声である未変換保留データ２１２を取得し、このデータを保留データ変換手段２１２により、通信端末２１０が対応する所望の音声データに変換し（保留データ変換）（Ｓ２５００）、音声デバイスを用いて保留音再生を行う（Ｓ２６００）。
呼制御装置１４０は、ＳＩＰ保留メッセージ応答を受信すると（Ｓ２４００）、アドレス解析を行い、通信端末２００へＳＩＰ保留メッセージ応答を送信する（Ｓ２７００）。
そして、通信端末２００は、通信端末全体制御手段２０２の制御のもとに、通信手段１０１で保留メッセージ応答を受信する（Ｓ２７００）。
このように、本実施の形態の交換システムでは、保留音の提供を受ける通信端末内に、受信した保留データを自身が対応する音声コーデックのデータに変換する保留データ変換手段を備えているため、保留音の提供を受ける通信端末が、対応していない保留音を受信したとしても、保留音を再生することが可能となる。
なお、本実施の形態の構成は、種々の変更が可能である。
すなわち、本実施の形態では、保留データ変換手段２１２が、Ｇ．７１１の音声データを、通信端末２１０が対応する音声コーデックのデータに変換するものとして説明したが、保留データ１０３が他のコーデックの音声データである場合でも、保留データ変換手段２１２が、そのコーデックから通信端末２１０が対応する音声コーデックへの変換アルゴリズムを保持することにより、本実施の形態の動作が可能になる。
また、実施の形態１で示した第３、第４、第５、第６及び第７の変更は、本実施の形態においても適用可能である。
但し、上記第３の変更において、保留データ１０３が映像データの場合は、次のような修正が必要である。
すなわち、本実施の形態では、保留データ１０３が音声データの場合を説明したが、保留データ１０３が映像データであっても良い。但し、映像データは音声データに比べてデータサイズが大きいため、メッセージに添付する際は映像データを分割する必要がある。分割方式としては、データサイズに応じて分けたり、映像のシーン毎に切り分けたりする方式が考えられる。データの分割方法としては、（１）添付データ生成手段２０１を、映像分割機能も含む添付データを生成する手段として拡張する方法と、（２）新たに映像分割を行う手段を設ける方法とが考えられる。送信方法としては、分割した最初の映像データについては保留メッセージに添付して送信し、分割した２番目以降の映像データについては情報メッセージに添付して逐次送信する方法が好ましい。一方、データの再生方法としては、（１）保留データである映像データを受信した通信端末２１０の保留データ変換手段２１２を、受信した映像データを逐次再生する機能も含む保留データ変換手段として拡張する方法と、（２）新たに映像データを逐次再生する手段を設ける方法とが考えられる。
上記（１）の場合は、保留データとして映像データを考慮した場合、映像分割機能や映像データを逐次再生する機能を含むことで、所望の動作が可能になる。
保留データが映像データの場合のシーケンス図は、図９に示すとおりである。この場合、図９に示すように、図８のＳ２８００以降に、通信端末２００から呼制御装置１４０へのＳＩＰ情報メッセージの送信（Ｓ２８００）、呼制御装置１４０から通信端末２１０へのＳＩＰ情報メッセージの送信（Ｓ２８５０）、通信端末２１０での保留データ変換（Ｓ２９００）及び通信端末２１０での保留データ再生（Ｓ２９５０）が繰り返される。すなわち、分割されたデータの最初の部分は、ＳＩＰ保留メッセージにそのデータが添付されて送信され、それ以降の分割データは、情報メッセージにそのデータが添付されて送信される。
ここで、情報メッセージは、図１０に示すようなデータ構造を有している。図１０に示すように、情報メッセージは、情報コマンドフィールド２３１と保留データフィールド２３２とから成る。保留データ２３２は、分割された映像データである。
なお、ＳＩＰ情報メッセージは、ＳＩＰ保留メッセージの場合（Ｓ２４００、Ｓ２７００参照）と異なり、必ずしも応答を返す必要はない。
また、通信端末２１０にメモリの余裕がある場合は、そのメモリに一度蓄積すれば、繰り返しＳＩＰ情報メッセージを通信端末２００から送信する必要はない。
（実施の形態３）
実施の形態３では、呼制御装置が保留データの変換機能を持つ交換システムについて説明する。
この交換システムでは、図１１に示すように、呼制御装置３１０が、少なくともパケットによる通信を行う通信手段３１１と、呼制御装置３１０配下の各通信端末において解釈可能なコーデック能力に関する情報を保持する端末能力情報データベース（ＤＢ）３１２と、端末能力情報データベース３１２の情報を基に保留データを通信端末３００が対応するコーデックのデータに変換する保留データ変換手段３１３と、受信した保留メッセージに添付された保留データを取得すると共に、保留データ変換手段３１３が変換した音声データを添付した保留メッセージを生成する添付データ解析・生成手段３１４と、通信手段３１１、端末能力情報データベース３１２、保留データ変換手段３１３及びデータ解析・生成手段３１４を制御する呼制御装置全体制御手段３１５とを備えている。保留データ変換手段は、呼制御装置３１０だけが保持しており、通信端末３００は有していない。その他の構成は、実施の形態２（図６参照）と変わりがない。
なお、呼制御装置３１０の各手段の機能は、呼制御装置３１０に内蔵されたコンピュータがプログラムに規定された処理を実行することにより実現される。
図１２は、呼制御装置３１０と通信端末３００とが通信を行う保留メッセージのデータ構造を示している。図１２に示すように、保留メッセージは、通信端末２００と通信端末３００との通話を保留状態にすることを示す保留コマンドフィールド３２１と、呼制御装置３１０の保留データ変換手段３１３が保留データから変換した音声データを格納する変換済保留データフィールド３２２とから成る。
なお、通信端末２００と呼制御装置３１０とが通信を行う保留メッセージのデータ構造は、図７に示したものと同じである。
図１３は、端末能力情報データベース３１２の内容の一例を示しており、各端末の解釈可能な音声コーデックが能力情報として一覧表示されている。
次いで、この交換システムの保留時の動作の一例を、図１４を用いて説明する。
図１４は、通信端末２００と通信端末３００とが通話状態である時に、通信端末２００が呼制御装置３１０へ保留データ１０３を添付した保留メッセージを送信し、呼制御装置３１０が、添付の保留データを通信端末３００が解釈可能な音声コーデックのデータに変換し、この変換済保留データを添付した保留メッセージを通信端末３００へ送信する手順を示している。なお、ここでも、実施の形態１と同様に、保留データ１０３はＧ．７１１の音声データであり、通信端末２００−呼制御装置３１０−通信端末３００を流れるメッセージはＳＩＰメッセージであるとして、説明を進める。
通信端末２００は、通信端末３００と通話状態（通話音声で通話中）にある時（Ｓ３０００）、ユーザなどによる保留操作を検知すると（Ｓ３１００）、通信端末全体制御手段２０２の制御のもとに、保留手段１０２で保留メッセージを生成し、添付データ生成手段２０１によりＳＩＰ保留メッセージに保留データ１０３を添付し、保留手段１０２から、通信手段１０１を介して、保留データ１０３を添付したＳＩＰ保留メッセージ（保留コマンド２２１及び保留データ１０３からなる未変換保留データ２２２、図７参照）を呼制御装置３１０へ送信する（Ｓ３２００）。
そして、呼制御装置３１０は、呼制御装置全体制御手段３１５の制御のもとに、通信手段３１１がＳＩＰ保留メッセージを受信し（Ｓ３２００）、添付データ解析・生成手段３１４がそのＳＩＰ保留メッセージからＧ．７１１音声である未変換保留データ２２２を取得し、保留データ変換手段３１３が未変換保留データ２２２を、端末能力情報データベース３１２内の能力情報（図１３参照）に基づいて、通信端末３００の解釈可能な音声コーデックのデータ（変換済保留データ３２２）へ変換し、添付データ解析・生成手段３１４がＳＩＰ保留メッセージ（保留コマンド３２１及び変換済保留データ３２２、図１２参照）を生成して、通信手段３１１を介して、通信端末３００へ送信する（Ｓ３３００）。
そして、通信端末３００は、通信端末全体制御手段３０１の制御のもとに、通信手段１１１でＳＩＰ保留メッセージを受信し（Ｓ３３００）、保留手段１１２により、通信手段１１１を介して、ＳＩＰ保留メッセージ応答を呼制御装置３１０へ送信する（Ｓ３４００）。また、添付データ解析手段２１１により、受信したＳＩＰ保留メッセージから変換済保留データ３２２を取得し、保留音再生を行う（Ｓ３５００）。
一方、呼制御装置３１０は、呼制御装置全体制御手段３１５の制御のもとに、通信手段３１１が、ＳＩＰ保留メッセージ応答を受信し（Ｓ３４００）、添付データ解析・生成手段３１４が、通信手段３１１を介して、通信端末２００へＳＩＰ保留メッセージ応答を送信する（Ｓ３６００）。
そして、通信端末２００は、通信端末全体制御手段２０２の制御のもとに、通信手段１０１でＳＩＰ保留メッセージ応答を受信する（Ｓ３６００）。
なお、端末能力情報データベース３１２への端末能力の登録は、通信端末の初期化時（ＳＩＰでいう登録時）に登録しても、あるいは、通信端末と通信端末との呼接続における能力交換時に登録しても良い。
このように、本実施の形態の交換システムでは、呼制御装置内に保留先の通信端末の端末能力情報データベースを備え、また、この端末能力情報データベースに登録された情報に基づいて、保留元の通信端末から受信した保留データを保留先の通信端末が解釈可能な音声コーデックのデータに変換する保留データ変換手段を備えているため、保留先の通信端末が各音声コーデックの多様な変換手段を持たなくても、保留音を再生することが可能となる。
なお、本実施の形態の構成は、種々の変更が可能である。
すなわち、本実施の形態では、通信端末２００が通信端末３００へ保留音を提供する場合を説明したが、いかなる通信端末であっても保留元が通信端末２００と同様の構成を保持し、保留先が通信端末３００と同様の構成を保持し、また、呼制御装置が呼制御装置３１０と同様の構成を保持することにより、本実施の形態の動作が可能になる。
また、実施の形態２で示した各種の変更は、本実施の形態にも適用することができる。
（実施の形態４）
実施の形態４では、呼制御装置が複数の通信端末に同時に保留音を提供する交換システムについて説明する。
この交換システムでは、呼制御装置が、ネットワーク上の特定のグループだけに対して１対多の通信を行うマルチキャストにより保留データを常時配信する。一方、保留元の通信端末は、保留先の通信端末に保留メッセージを送り、これを受けた保留先の通信端末は、マルチキャストグループに参加して、呼制御装置から保留データを取得する。
この交換システムでは、図１５に示すように、保留元の通信端末４００が、通信手段１０１と、保留手段１０２と、通信端末全体制御手段４０１とを備え、また、保留先の通信端末４１０が、通信手段１１１と、保留手段１１２と、保留データ変換手段４１１と、呼制御装置４２０がマルチキャストにより常時配信中の保留データへ接続を行う保留データ制御手段４１２と、通信端末４１０の各手段を制御する通信端末全体制御手段４１３とを備え、また、呼制御装置４２０が、通信手段３１１と、保留データ４２１と、マルチキャストにより常時保留音を送信する保留データ常時配信手段４２２と、受信した保留メッセージに保留データ常時配信手段４２２で利用中のマルチキャストアドレスを付与するマルチキャストアドレス付与手段４２３と、呼制御装置４２０の各手段を制御する呼制御装置全体制御手段４２４とを備えている。スイッチ４３０、４４０、４５０は、マルチキャスト対応のスイッチである。その他の構成は、実施の形態１（図４参照）と変わりがない。
なお、通信端末４００、４１０及び呼制御装置４２０の各手段の機能は、各装置に内蔵されたコンピュータがプログラムに規定された処理を実行することにより実現される。
図１６は、呼制御装置４２０と通信端末４１０とが通信を行う保留メッセージのデータ構造を示している。図１６に示すように、保留メッセージは、通信端末４００と通信端末４１０との通話を保留状態にすることを示す保留コマンドフィールド４６１と、保留データ常時配信手段４２２が利用中の保留データ用マルチキャストアドレスを示すマルチキャストアドレスフィールド４６２とから成る。このマルチキャストアドレスフィールド４６２への保留データ用マルチキャストアドレスの付与は、マルチキャストアドレス付与手段４２３により行われる。
なお、図示しないが、通信端末４００と呼制御装置４２０とが通信を行う保留メッセージのデータ構造は、保留コマンドだけから成る。
次いで、この交換システムの保留時の動作の一例を、図１７を用いて説明する。
図１７は、呼制御装置４２０がマルチキャストにより保留データを少なくともスイッチ４４０の全ポートに対して常時配信している状態において、通信端末４００が、通話中の通信端末４１０に保留メッセージを送る場合のシーケンスを示している。なお、ここでは、実施の形態１と同様、保留データ４２１はＧ．７１１の音声データであり、通信端末４００−呼制御装置４２０−通信端末４１０を流れるメッセージはＳＩＰメッセージであるとして、説明を進める。
呼制御装置４２０は、保留データ常時配信手段４２２により保留データ（Ｇ．７１１の音声）を常時配信している（保留データ常時配信）（Ｓ４０００）。
そして、通信端末４００は、通信端末４１０と通話状態（通話音声で通話中）にある時（Ｓ４０５０）、ユーザなどによる保留操作を検知すると（Ｓ４１００）、通信端末全体制御手段４０１の制御のもとに、保留手段１０２により、通信手段１０１を介して、呼制御装置４２０へＳＩＰ保留メッセージを送信する（Ｓ４１５０）。
そして、呼制御装置４２０は、呼制御装置全体制御手段４２４の制御のもとに、通信手段３１１がＳＩＰ保留メッセージを受信し（Ｓ４１５０）、マルチキャストアドレス付与手段４２３がそのＳＩＰ保留メッセージに保留データ用のマルチキャストアドレス４６２を付与し、通信手段３１１がＳＩＰ保留メッセージ（保留コマンド４６１及びマルチキャストアドレス４６２、図１６参照）を通信端末４１０へ送信する（Ｓ４２００）。
そして、通信端末４１０は、通信端末全体制御手段４１３の制御のもとに、通信手段１１１がＳＩＰ保留メッセージを受信し（Ｓ４２００）、保留手段１１２が通信手段１１１を用いてＳＩＰ保留メッセージ応答を呼制御装置へ送信する（Ｓ４２５０）。
そして、通信端末４１０は、保留データ制御手段４１２で、受信したＳＩＰ保留メッセージから保留データ用のマルチキャストアドレス４６２を取得して、保留データ用マルチマルチキャストグループに参加（スイッチ４４０に対して受信準備完了を通知）し（Ｓ４３００）、通信手段１１１で、呼制御装置４２０から常時配信されている保留データを受信し（Ｓ４３５０）、保留データ変換手段４１１で、この保留データを通信端末４１０が解釈可能な音声コーデックのデータに変換し（保留音変換）（Ｓ４４００）、音声デバイスにより保留音の再生を行う（Ｓ４４５０）。
一方、呼制御装置４２０は、呼制御装置全体制御手段４２４の制御のもとに、通信手段３１１で保留メッセージ応答を受信し（Ｓ４２５０）、通信端末４００へＳＩＰ保留メッセージ応答を送信する（Ｓ４５００）。
そして、通信端末４００は、通信端末全体制御手段４０１の制御のもとに、通信手段１０１で保留メッセージ応答を受信する（Ｓ４５００）。
このように、本実施の形態の交換システムでは、呼制御装置が、マルチキャストにより常時保留データを配信する保留データ常時配信手段と、保留元の通信端末から受信した保留メッセージにそのマルチキャストアドレスを付与するマルチキャストアドレス付与手段とを備え、保留先の通信端末が、呼制御装置から受信した保留メッセージからマルチキャストアドレスを取得し、マルチキャストグループに参加して保留データの受信を可能にする保留データ制御手段と、保留データを解釈可能なコーデックのデータへ変換する保留データ変換手段とを備えており、こうした構成により、呼制御装置が音声パスを複数張ることなく、複数の端末へ同時に保留音を提供することが可能となる。
なお、本実施の形態の構成は、種々の変更が可能である。
すなわち、本実施の形態では、呼制御装置４２０がマルチキャストアドレスを通信端末４１０へ通知する場合を説明したが、保留元の通信端末４００がマルチキャストアドレスを指定して、保留先の通信端末４１０へ通知しても、あるいは、保留先の通信端末４１０が保留データ用のマルチキャストアドレスをあらかじめ保持するようにしても良い。
また、実施の形態２で示した各種の変更は、本実施の形態にも適用することができる。
（実施の形態５）
実施の形態５では、マルチキャストを利用して１つの音声パス上で保留・転送を行う交換システムについて説明する。
この交換システムでは、図１８に示すように、ネットワーク１３０に、通話先との通話を保留して転送する転送元の通信端末５００と、転送元の通信端末５００から通話が転送される転送先の通信端末５２０と、転送元の通信端末５００から転送先の通信端末５２０へ通話が転送される通話先の通信端末５１０とが接続されている。
転送元の通信端末５００は、図６に示す保留手段１０２、保留データ１０３及び添付データ生成手段２０１から成る保留部５０１と、転送時のメッセージ（接続メッセージ及び転送メッセージ）を生成・解析する転送手段５０２と、通信端末５００と通信端末５１０との音声通話に利用するマルチキャストアドレスを接続メッセージに付与するマルチキャストアドレス付与手段５０３と、少なくともパケットによる通信を行う通信手段１０１と、通信端末５００の各手段を制御する通信端末全体制御手段５０４とを備えている。
転送先の通信端末５２０は、転送時のメッセージを生成・解析する転送手段５２１と、接続メッセージからマルチキャストアドレスを取得して、マルチキャストグループに参加するなどの処理を行うマルチキャスト制御手段５２２と、通信手段５２３と、通信端末５２０の各手段を制御する通信端末全体制御手段５２４とを備えている。
また、通話先の通信端末５１０は、図６に示す保留手段１１２、添付データ解析手段２１１及び保留データ変換手段２１２から成る保留部５１１と、転送時に通信端末５００と通信端末５２０とのマルチキャストによる音声通話の音声を削除するマルチキャスト音声カット手段５１２と、通信手段１１１と、通信端末５１０の各手段を制御する通信端末全体制御手段５１３とを備えている。
なお、その他の構成は、実施の形態１（図４参照）と変わりがない。
また、通信端末５００、５１０、５２０の各手段の機能は、各通信端末に内蔵されたコンピュータがプログラムに規定された処理を実行することにより実現される。
図１９は、転送元の通信端末５００が呼制御装置５３０を介して転送先の通信端末５２０と通信を行う接続メッセージのデータ構造を示している。図１９に示すように、接続メッセージは、通信端末５００と通信端末５２０との通話を接続状態にすることを示す接続コマンドフィールド５８１と、通信端末５００と通信端末５１０との通話に利用中のマルチキャストアドレス５８２とから成る。
なお、図示しないが、通信端末５００が呼制御装置５３０を介して通信端末５１０と通信を行う転送メッセージには、転送可能を示す情報のみが含まれる。
次いで、この交換システムの転送時の動作の一例を、図２０を用いて説明する。
図２０は、通信端末５００と通信端末５１０とがマルチキャストを利用して通話状態（スイッチ５４０〜５７０の全ポートに対して音声送信中）である時、通信端末５００が、通信端末５１０との通話を保留し、転送先の通信端末５２０へ会話により転送要求を伝え、通話先の通信端末５１０と転送先の通信端末５２０との通話が確立するまでの一連のシーケンスを示している。なお、ここでは、呼制御装置５３０を介して各通信端末間を流れるメッセージはＳＩＰメッセージであるとして、説明を進める。
通信端末５００は、通信端末５１０とマルチキャストを利用して通話状態（通話音声で通話中）である時（Ｓ５０００）、保留部５０１により、通信端末５１０の保留部５１１との間で保留処理を行う（Ｓ５０５０）。なお、保留処理の詳しい説明は、実施の形態２で行ったため、省略する。
そして、通信端末５１０は保留状態になり、保留音を再生すると共に、マルチキャスト音声カット手段５１２が、通信端末５００との間の通話で使用したマルチキャスト利用の音声パスに届く通話音声カットを開始する（Ｓ５１００）。
通信端末５００は、通信端末全体制御手段５０４の制御のもとに、転送手段５０２及びマルチキャストアドレス付与手段５０３を用いて、通信端末５１０との通話で使用したマルチキャストアドレスを添付したＳＩＰ接続メッセージ（接続コマンド５８１及びマルチキャストアドレス５８２、図１９参照）を生成し、これを通信手段１０１により呼制御装置５３０へ送信する（Ｓ５１５０）。
そして、呼制御装置５３０は、ＳＩＰ接続メッセージを受信し（Ｓ５１５０）、アドレス解析を行い、通信端末５２０へＳＩＰ接続メッセージを送信する（Ｓ５２００）。
そして、通信端末５２０は、通信端末全体制御手段５２４の制御のもとに、通信手段５２３でＳＩＰ接続メッセージを受信し（Ｓ５２００）、転送手段５２１から、通信手段５２３を介してＳＩＰ接続メッセージ応答を呼制御装置５３０へ送信する（Ｓ５２５０）。
そして、呼制御装置５３０は、ＳＩＰ接続メッセージ応答を受信し（Ｓ５２５０）、アドレス解析を行い、通信端末５００へＳＩＰ接続メッセージ応答を送信する（Ｓ５３００）。
そして、通信端末５００は、通信端末全体制御手段５０４の制御のもとに、通信手段１０１でＳＩＰ接続メッセージ応答を受信する（Ｓ５３００）。
一方、ＳＩＰ接続メッセージを受信した（Ｓ５２００）通信端末５２０は、マルチキャスト制御手段５２２により、受信したＳＩＰ接続メッセージからマルチキャストアドレス５８２を取得し、マルチキャストグループへの参加を行い（Ｓ５３５０）、ＳＩＰ接続メッセージ応答を受信した（Ｓ５３００）通信端末５００との間で通話（通話音声）を開始する（Ｓ５４００）。
この通話で、通信端末５００から通信端末５２０に転送要求が伝えられる。この会話は、通話音声カットの状態にある（Ｓ５１００）通信端末５１０には伝わらない。
そして、通信端末５００は、通信端末全体制御手段５０４の制御のもとに、転送手段５０２でＳＩＰ転送メッセージを生成し、通信手段１０１を介して呼制御装置５３０へ送信する一方（Ｓ５４５０）、マルチキャストグループ離脱を行い（Ｓ５５００）、マルチキャストを利用した音声通話を取りやめる。
そして、呼制御装置５３０は、ＳＩＰ転送メッセージを受信し（Ｓ５４５０）、通信端末５１０へＳＩＰ転送メッセージを送信する（Ｓ５５５０）。
そして、通信端末５１０は、通信端末全体制御手段５１３の制御のもとに、通信手段１１１でＳＩＰ転送メッセージを受信し（Ｓ５５５０）、ＳＩＰ転送メッセージ応答を呼制御装置５３０へ送信する（Ｓ５６００）。また、マルチキャスト音声カット手段５１２が行っていた通話音声カットを解除し（Ｓ５６５０）、マルチキャストを利用した音声通話（通話音声）を開始する（Ｓ５７００）。
一方、呼制御装置５３０は、ＳＩＰ転送メッセージ応答を受信し（Ｓ５６００）、通信端末５００へＳＩＰ転送メッセージ応答を送信する（Ｓ５７５０）。
そして、通信端末５００は、通信端末全体制御手段５０４の制御のもとに、通信手段１０１でＳＩＰ転送メッセージ応答を受信する（Ｓ５７５０）。
このように、本実施の形態の交換システムでは、通話音声パスにマルチキャストを利用し、転送元の通信端末には、接続メッセージにマルチキャストアドレスを付与するマルチキャストアドレス付与手段を設け、転送先の通信端末には、接続メッセージからマルチキャストアドレスを取得してマルチキャストグループに参加するマルチキャスト制御手段を設け、また、通話先の通信端末には、転送元の通信端末と転送先の通信端末との通話音声をカットするマルチキャスト音声カット手段を設けている。こうした構成により、保留・転送に関係する３つの通信端末とも、１つの音声パス上で保留・転送を行うことが可能になる。そのため、２本の音声パスを必要とする従来のシステムに比べて、音声パスの制御やバッファ制御に掛かる負担を軽減することができる。
なお、本実施の形態は、種々の変更が可能である。
すなわち、本実施の形態では、保留メッセージとしてＳＩＰメッセージを用いた場合を説明したが、他のメッセージによっても本実施の形態の動作は可能である。
また、本実施の形態では、通信端末５００と通信端末５１０との保留処理を実施の形態２と同様に行う場合を説明したが、実施の形態３に示した保留処理を行うものでも良く、通信端末５１０上で保留音を流す保留処理であれば、いかなるものであっても良い。
また、本実施の形態では、通信端末５００が通信端末５２０に対してマルチキャストアドレスを通知したが、呼制御装置がマルチキャストアドレスを一括管理し、通信端末５００から呼制御装置を経由して通信端末５２０へ送信される接続メッセージに、呼制御装置がマルチキャストアドレスを付与して通信端末５２０に通知するようにしても良い。
また、本実施の形態では、通信端末間の通信を呼制御装置５３０経由で行う場合を説明したが、各通信端末が他の２つの通信端末のアドレスを保持し、互いの通信端末間の通信を、呼制御装置５３０を介さずに行うようにしても良い。
また、本実施の形態では、通信端末５００と通信端末５１０との通話から通信端末５１０と通信端末５２０との通話へ転送する場合を説明したが、いかなる通信端末であっても、転送元が通信端末５００、転送先が通信端末５２０、通話先が通信端末５１０とそれぞれ同様の構成を保持することで、本実施の形態の動作が可能になる。
また、実施の形態１で示した第４の変更は、本実施の形態にも適用することができる。
（実施の形態６）
実施の形態６では、転送元のユーザと転送先のユーザとが会話を行うことなく保留・転送を行う交換システムについて説明する。
この交換システムでは、転送電話受信の可／不可を示すプレゼンス情報が呼制御装置に登録され、このプレゼンス情報に基づいて転送処理が行われる。
図２１に示すように、この交換システムの転送元の通信端末６００は、保留部５０１、転送手段５０２、通信手段１０１及び通信端末全体制御手段６０１を備え、転送先の通信端末６２０は、転送手段５２１、通信手段５２３及び通信端末全体制御手段６２１を備え、通話先の通信端末６１０は、保留部５１１、通信手段１１１及び通信端末全体制御手段６１１を備えている。また、呼制御装置６３０は、少なくともパケットによる通信を行う通信手段３１１と、呼制御装置６３０配下の通信端末を利用する全ユーザのプレゼンス情報を格納するプレゼンス情報データベース６３１と、プレゼンス情報データベース６３１を管理するプレゼンス情報管理手段６３２と、呼制御装置６３０の各手段を制御する呼制御装置全体制御手段６３３とを備えている。その他の構成は、実施の形態１（図４参照）と変わりがない。
なお、通信端末６００、６１０、６２０及び呼制御装置６３０の各手段の機能は、各装置に内蔵されたコンピュータがプログラムに規定された処理を実行することにより実現される。
この交換システムでは、転送時に、転送元の通信端末６００が呼制御装置６３０に対して転送先の通信端末６２０のプレゼンス情報を問い合わせるためのプレゼンス情報要求を送る。このプレゼンス情報要求のデータ構造は、例えば、図２２Ａに示すように、通信端末６００が呼制御装置６３０に対するプレゼンス情報要求メッセージであることを示すプレゼンスコマンドフィールド６８１と、通信端末６００がプレゼンス情報を知る必要のある端末ＩＤを示す端末情報フィールド６８２とから成る。
呼制御装置６３０は、これに対してプレゼンス情報要求応答を通信端末６００に送る。このプレゼンス情報要求応答のデータ構造は、例えば、図２２Ｂに示すように、呼制御装置６３０が通信端末６００に対してプレゼンス情報要求の応答メッセージであることを示すプレゼンス応答コマンドフィールド６８３と、通信端末６００がプレゼンス情報を知る必要のある端末ＩＤを示す端末情報フィールド６８４と、端末情報フィールド６８４が示す端末を利用するユーザの状態を示すユーザ状態フィールド６８５とから成る。
また、転送先のユーザの状態が転送電話受信可の場合、通信端末６００から呼制御装置６３０を経て転送先の通信端末６２０に転送要求を示す転送メッセージ情報が送られるが、この転送メッセージ情報のデータ構造は、例えば、図２２Ｃに示すように、通信端末６００が通信端末６２０に対して通信端末６１０の転送を要求するものであることを示す転送コマンドフィールド６８６と、通信端末６２０が通話を行う通信端末６１０のアドレスを格納する端末アドレス情報６８７とから成る。
なお、図示しないが、通信端末６１０と通信端末６２０の間で送受信される接続メッセージは、これらの通信端末間の通話を接続状態にすることを示す接続コマンドのみから成る。
図２３は、プレゼンス情報データベース６３１の内容の一例を示している。プレゼンス情報は、現在の各通信端末の使用ユーザによる電話受信の可／不可を示す情報である。プレゼンス情報は、例えば、電話のＯＮ／ＯＦＦ、ユーザの手入力、ログイン／ログアウトなどによって取得される。
次いで、この交換システムの保留・転送時の動作の一例を、図２４を用いて説明する。
図２４は、通信端末６００が通信端末６１０と通話状態にある時、その通話を保留し、転送先の通信端末６２０が電話に応答できることをプレゼンス情報で確認した後、通信端末６２０に通話を転送する手順を示している。なお、ここでは、呼制御装置６３０を介して各通信端末間を流れるメッセージはＳＩＰメッセージであるとして、説明を進める。
通信端末６００は、通信端末６１０と通話状態（通話音声で通話中）にある時（Ｓ６０００）、保留部５０１により、通信端末６１０の保留部５１１との間で保留処理を行う（Ｓ６０５０）。なお、保留処理の詳しい説明は、実施の形態２で行ったため、省略する。
そして、通信端末６００は、通信端末全体制御手段６０１の制御のもとに、転送手段５０２から、転送先の通信端末６２０の情報（端末情報６８２）を添付したＳＩＰプレゼンス情報要求（プレゼンスコマンド６８１及び端末情報６８２）を、通信手段１０１を通じて呼制御装置６３０へ送信する（Ｓ６１００）。
そして、呼制御装置６３０は、呼制御装置全体制御手段６３３の制御のもとに、通信手段３１１がＳＩＰプレゼンス情報要求を受信し（Ｓ６１００）、プレゼンス情報管理手段６３２がＳＩＰプレゼンス情報要求（図２２Ａ参照）から通信端末６２０を示す端末情報６８２を取得し、プレゼンス情報データベース６３１内のプレゼンス情報（図２３参照）から、通信端末６２０のユーザ状態６８５を取得し、ＳＩＰプレゼンス情報応答（プレゼンス応答コマンド６８３、端末情報６８４及びユーザ状態６８５、図２２Ｂ参照）として、通信手段３１１により通信端末６００へ送信する（Ｓ６１５０）。
そして、通信端末６００は、通信端末全体制御手段６０１の制御のもとに、通信手段１０１がＳＩＰプレゼンス情報応答を受信し（Ｓ６１５０）、転送手段５０２がユーザ状態６８５から通信端末６２０への転送可否を把握し、通信端末６１０の情報を添付したＳＩＰ転送メッセージ（転送コマンド６８６及び端末アドレス情報６８７、図２２Ｃ参照）を、通信手段１０１を通じて呼制御装置６３０へ送信する（Ｓ６２００）。
そして、呼制御装置６３０は、呼制御装置全体制御手段６３３の制御のもとに、通信手段３１１でＳＩＰ転送メッセージを受信し（Ｓ６２００）、アドレス解析を行い、通信端末６２０へＳＩＰ転送メッセージを送信する（Ｓ６２５０）。
そして、通信端末６２０は、通信端末全体制御手段６２１の制御のもとに、通信手段５２３がＳＩＰ転送メッセージを受信し（Ｓ６２５０）、転送手段５２１が、ＳＩＰ転送メッセージの端末アドレス情報６８７から通信端末６１０の端末アドレスを取得し、ＳＩＰ接続メッセージを、通信手段５２３により、呼制御装置６３０を介して通信端末６１０へ送信する。
そして、通信端末６１０は、通信端末全体制御手段６１１の制御のもとに、通信手段１１１でＳＩＰ接続メッセージを受信し（Ｓ６３００）、ＳＩＰ接続メッセージの内容に応じてＳＩＰ接続メッセージ応答を、呼制御装置６３０を介して通信端末６２０へ送信する（Ｓ６３５０）。
そして、通信端末６２０は、通信端末全体制御手段６２１の制御のもとに、通信手段５２３がＳＩＰ接続メッセージ応答を受信し（Ｓ６３５０）、通信端末６１０と通信端末６２０とが正常に接続可能なことを把握すると、転送手段６２１がＳＩＰ転送メッセージ応答を通信手段５２３により呼制御装置６３０へ送信する一方（Ｓ６４００）、通信端末６１０との通話を開始（通話音声）する（Ｓ６４５０）。
呼制御装置６３０は、呼制御装置全体制御手段６３３の制御のもとに、通信手段３１１でＳＩＰ転送メッセージ応答を受信し（Ｓ６４００）、アドレス解析を行い、通信端末６００へＳＩＰ転送メッセージ応答を送信する（Ｓ６５００）。
そして、通信端末６００は、通信端末全体制御手段６０１の制御のもとに、通信手段１０１でＳＩＰ転送メッセージ応答を受信する（Ｓ６５００）。
なお、プレゼンス情報データベース６３１へのプレゼンス情報の登録は、例えば、ユーザが自分の利用する通信端末での応答の可／不可状態を変更したとき、通信端末から呼制御装置６３０に状態変化を登録することにより行われる。この登録処理に関しては、ＳＩＰメッセージの規約の範囲内で行うことが可能であるため、ここでは特に言及しない。
このように、本実施の形態の交換システムでは、呼制御装置が、配下の通信端末を利用する全ユーザの電話応答可／不可のプレゼンス情報を格納するプレゼンス情報データベースと、プレゼンス情報を管理するプレゼンス情報管理手段とを備えているため、転送元の通信端末は、転送先のプレゼンス情報を呼制御装置へ要求して、転送先の状況を把握することができる。そのため、転送元の通信端末を利用するユーザと転送先の通信端末を利用するユーザとが音声による会話を行うことなく、保留・転送を行うことが可能となる。
なお、本実施の形態は、種々の変更が可能である。
すなわち、本実施の形態では、転送メッセージとしてＳＩＰメッセージを用いた場合を説明したが、他のメッセージによっても本実施の形態の動作は可能である。
また、本実施の形態では、通信端末６００と通信端末６１０との通話から通信端末６１０と通信端末６２０との通話へ転送を行う場合を説明したが、いかなる通信端末であっても転送元が通信端末６００、転送先が通信端末６２０、通話先が通信端末６１０と同様の構成を保持することで、本実施の形態の動作が可能になる。
また、実施の形態１で示した第４の変更は、本実施の形態にも適用することができる。
（実施の形態７）
実施の形態７では、通信端末Ａからスイッチの配下の通信端末Ｂへの通話を、スイッチ配下の他の通信端末Ｃに転送する場合に、スイッチが、配下の通信端末との間の音声パスを切り換えて、その転送を実現する交換システムについて説明する。
通常、通信端末Ａと通信端末Ｂとが、ＶｏＩＰにより、ＩＰネットワークを介して音声データを送受信する場合には、通信端末Ａが通信端末Ｂ（またはその逆）のＩＰアドレスを指定し、ピア・ツー・ピア（Ｐｅｅｒ  ｔｏ  Ｐｅｅｒ）で直接音声のやりとりが行われる。そのため、通信端末Ａと通信端末Ｂとの通話から通信端末Ａと通信端末Ｃとの通話に切り換えるためには、通信端末Ａが、音声パスを通信端末Ｂから通信端末Ｃに切り換える操作が必要となる。
本実施の形態の交換システムでは、通信端末Ａとスイッチとの間の音声パスはそのままで、スイッチが、スイッチと通信端末Ｂとの間の音声パスをスイッチと通信端末Ｃとの音声パスに切り換える。従って、通信端末Ａは音声パス変更の動作を全く必要としない。
この交換システムは、図２５に示すように、通信端末７００がスイッチ７４０を介してネットワーク１３０に接続され、通信端末７１０、通信端末７２０及び呼制御装置７３０がスイッチ７５０を介してネットワーク１３０に接続されている。また、スイッチ７５０は、配下の全通信端末の音声パス情報を格納する音声パス情報データベース７５１と、音声パス情報データベース７５１を管理する音声パス管理手段７５２と、パケット通信を司る通信手段７５３と、通信手段７５３及び音声パス管理手段７５２を制御するスイッチ全体制御手段７５４とを備えている。
この交換システムでは、スイッチ７５０で中継する通話の音声パス情報が音声パス情報データベース７５１に書き込まれる。図２６Ａ〜図２６Ｃは、音声パス情報データベースの内容の一例を示している。音声パス情報データベースでは、送信元と現在通話している相手先が送信先として記述される。図２６Ａは、通信端末７００と通信端末７１０とが通話しているときの音声パス情報データベースの内容を示している。
次いで、この交換システムの動作の一例を、図２７と、図２７の続きを示す図２８とを用いて説明する。
図２７は、通信端末７００と通信端末７１０とが通話状態を確立し、その後、通信端末７１０で保留操作が行われ、呼制御装置７３０から通信端末７００に保留音が提供されるまでの手順を示している。また、図２８は、通信端末７００から通信端末７２０への転送処理が行われ、通信端末７００と通信端末７２０との通話が可能になるまでの手順を示している。なお、ここでは、各通信端末の間を流れるメッセージはＳＩＰメッセージであるとして、説明を進める。
通信端末７００は、通信端末７１０を相手先とするＳＩＰ接続メッセージをスイッチ７５０へ送信する（Ｓ７０００）。このＳＩＰ接続メッセージのヘッダには、発信側の通信端末７００のアドレス情報と着信側の通信端末７１０のアドレス情報とが含まれ、メッセージとして接続コマンドが含まれる。
そして、スイッチ７５０は、受信したＳＩＰ接続メッセージを呼制御装置７３０へ送る（Ｓ７０５０）。
そして、呼制御装置７３０は、ＳＩＰ接続メッセージを受信し（Ｓ７０５０）、アドレス解析を行い、通信端末７１０へＳＩＰ接続メッセージを送信する（Ｓ７１００）。
そして、通信端末７１０は、ＳＩＰ接続メッセージを受信し（Ｓ７１００）、ＳＩＰ接続メッセージ応答を呼制御装置７３０へ送信する（Ｓ７１５０）。
そして、呼制御装置７３０は、ＳＩＰ接続メッセージ応答を受信し（Ｓ７１５０）、アドレス解析を行い、スイッチ７５０にＳＩＰ接続メッセージ応答を送信する（Ｓ７２００）。
そして、スイッチ７５０は、上記アドレス解析の結果に基づいて、音声パス情報データベース７５１に通信端末７００と通信端末７１０との音声パス情報を登録した（Ｓ７２５０）後、ＳＩＰ接続メッセージ応答を通信端末７００へ送信する（Ｓ７３００）。図２６Ａは、この時の音声パス情報データベース７５１の内容を示している。
そして、ＳＩＰ接続メッセージ応答を受信した（Ｓ７３００）通信端末７００は、通話を開始し（Ｓ７３５０）、これを受けてスイッチ７５０は、音声パス情報データベース７５１の情報から送信先を判断し（Ｓ７４００）、通信端末７００からの通話音声を通信端末７１０に送信する（Ｓ７４５０）。
そして、このようにして通信端末７００と通信端末７１０とが通話状態にあるとき、通信端末７１０で保留操作が行われると（Ｓ７５００）、通信端末７１０は、ＳＩＰ保留メッセージを呼制御装置７３０へ送信する（Ｓ７５５０）。このＳＩＰ保留メッセージのヘッダには、保留元の通信端末７１０のアドレス情報と保留先の通信端末７００のアドレス情報とが含まれ、メッセージとして保留コマンドが含まれる。
そして、呼制御装置７３０は、ＳＩＰ保留メッセージを受信すると（Ｓ７５５０）、アドレス解析を行い、スイッチ７５０にＳＩＰ保留メッセージを送信する（Ｓ７６００）。
そして、スイッチ７５０は、上記アドレス解析の結果に基づいて、ＳＩＰ保留メッセージを通信端末７００へ送信し（Ｓ７６５０）、これを受けた通信端末７００は、ＳＩＰ保留メッセージ応答をスイッチ７５０へ送信する（Ｓ７７００）。
そして、ＳＩＰ保留メッセージ応答を受信した（Ｓ７７００）スイッチ７５０は、音声パス情報データベースに、保留音を提供する呼制御装置７３０と通信端末７００との音声パス情報を登録した（Ｓ７７５０）後、ＳＩＰ保留メッセージ応答を呼制御装置７３０へ送信する（Ｓ７８００）。図２６Ｂは、この時の音声パス情報データベース７５１の内容を示している。
そして、ＳＩＰ保留メッセージ応答を受信した（Ｓ７８００）呼制御装置７３０は、通信端末７１０にＳＩＰ保留メッセージ応答を送信するとともに（Ｓ７８５０）、保留音をスイッチ７５０へ送信する（Ｓ７９００）。
そして、スイッチ７５０は、音声パス情報データベース７５１により保留音の送り先を判断し（Ｓ７９５０）、通信端末７００へ保留音を送信する（Ｓ８０００）。
そして、ＳＩＰ保留メッセージ応答を受信した（Ｓ７８５０）通信端末７１０は、ＳＩＰ転送メッセージをスイッチ７５０に送信する（Ｓ８０５０）。このＳＩＰ転送メッセージのヘッダには、転送元の通信端末７１０のアドレス情報と転送先の通信端末７２０のアドレス情報とが含まれ、メッセージとして転送コマンドが含まれる。
そして、スイッチ７５０は、このＳＩＰ転送メッセージを呼制御装置７３０へ送信する（Ｓ８１００）。
そして、呼制御装置７３０は、ＳＩＰ転送メッセージを受信すると（Ｓ８１００）、アドレス解析を行い、スイッチ７５０にＳＩＰ転送メッセージを送信する（Ｓ８１５０）。
そして、スイッチ７５０は、上記アドレス解析の結果に基づいて、ＳＩＰ転送メッセージを通信端末７２０に送信する（Ｓ８２００）。
そして、ＳＩＰ転送メッセージを受信した（Ｓ８２００）通信端末７２０は、ＳＩＰ転送メッセージ応答をスイッチ７５０へ送信する（Ｓ８２５０）。
そして、スイッチ７５０は、このＳＩＰ転送メッセージ応答を呼制御装置７３０へ送信する（Ｓ８３００）。
そして、呼制御装置７３０は、ＳＩＰ転送メッセージ応答を受信すると（Ｓ８３００）、アドレス解析を行い、スイッチ７５０にＳＩＰ転送メッセージ応答を送信する（Ｓ８３５０）。
そして、スイッチ７５０は、上記アドレス解析の結果に基づいて、音声パス情報データベース７５１に、転送先の通信端末７２０と通話先の通信端末７００との音声パス情報を登録した（Ｓ８４００）後、ＳＩＰ転送メッセージ応答を転送元の通信端末７１０へ送信する（Ｓ８４５０）。図２６Ｃは、この時の音声パス情報データベース７５１の内容を示している。
そして、通信端末７２０は、通話を開始し（Ｓ８５００）、これを受けてスイッチ７５０は、音声パス情報データベース７５１の情報から送信先を判断し（Ｓ８５５０）、通信端末７２０からの通話音声を通信端末７００に送信する（Ｓ８６００）。
こうして通信端末７００と通信端末７２０とが通話状態になる。
このように、本実施の形態の交換システムでは、外部ネットワークに位置する通信端末７００がスイッチ７５０を介して通信端末７１０と通話している場合に、通信端末７００は、音声パスの変更やその変更に関する情報交換、保留音の提供などの動作を全く必要とせずに、通話先をスイッチ７５０の配下にある別の通信端末７２０に切り換えることができる。この場合、スイッチ７５０が、配下の通信端末との間の音声パスを切り換えるだけで、通信端末７００の通話を転送することが可能である。
また、従来のように、通信端末間でＩＰアドレスを指定し、ピア・ツー・ピアで直接音声をやりとりする場合は、相手の通信端末が他社製であると、音声パスの切り替えのタイミングや方式などの相互互換性が問題となるが、本実施の形態の交換システムでは、そうした問題が発生しない。
なお、本実施の形態は、種々の変更が可能である。
すなわち、本実施の形態では、転送メッセージとしてＳＩＰメッセージを用いた場合を説明したが、他のメッセージによっても本実施の形態の動作は可能である。
また、本実施の形態では、通信端末７００と通信端末７１０との通話から通信端末７００と通信端末７２０との通話へ転送を行う場合を説明したが、スイッチの配下にあるいかなる通信端末であっても、スイッチと通信端末との間の音声パスを切り替えるだけで、転送元から転送先の通信端末への転送が可能である。
また、実施の形態１で示した第４の変更は、本実施の形態にも適用することができる。
また、本実施の形態では、転送の場合を説明したが、実施の形態１〜４における保留音提供方式にも適用可能である。いずれの場合も、本発明のスイッチは、到着したＩＰパケットをＩＰパケットの宛先（アドレス）に基づいて配下の端末に振り分けるのではなく、パス情報に基づいてＩＰパケットの振り分けを行う。すなわち、本発明のスイッチでは、通信端末間で取り交わされる制御メッセージの配信先を音声切り替え先のパス情報としてスイッチに記憶させ、その後の音声パケットを上記パス情報に基づいて切り替える。
以上の説明から明らかなように、本発明は次のような効果を有している。
保留元通信端末が、保有する保留データを保留先通信端末の解釈可能な音声へ変換する交換システムでは、１つの保留音に対してコーデックの数だけ保留音を揃えなくても、相手端末の解釈可能な保留音を提供することが可能となり、メモリ容量の節約を図ることができる。
また、保留先通信端末が、受信した保留データを自身の解釈可能な音声へ変換する交換システムでは、保留先通信端末が対応していない保留音を受信したとしても、保留音を再生することが可能となる。
また、呼制御装置が、保留メッセージに添付された保留データを保留先通信端末の解釈可能な音声へ変換する交換システムでは、保留先通信端末が各音声コーデックの変換手段を持たなくても、保留音を再生することが可能となる。
また、呼制御装置が保留データをマルチキャストにより常時配信し、保留先通信端末がマルチキャストグループに参加して保留データを得る交換システムでは、呼制御装置が音声パスを複数張ることなく、複数の端末へ同時に保留音を提供することが可能となる。
また、通話音声パスにマルチキャストを利用して、転送元通信端末と通話先通信端末との通話を保留し、通話先通信端末と転送先通信端末との通話に転送する交換システムでは、保留・転送に関係する３つの通信端末とも、１つの音声パス上で保留・転送を行うことが可能となり、音声パスの制御やバッファ制御に掛かる負担を軽減することができる。
また、呼制御装置に、配下の通信端末を利用する全ユーザの電話応答可／不可のプレゼンス情報を格納し、転送元の通信端末が、このプレゼンス情報により、転送先通信端末の電話応答可を確認して転送処理を進める交換システムでは、転送元通信端末を利用するユーザと転送先通信端末を利用するユーザとが、音声による会話を行わずに、保留・転送を行うことが可能となる。
また、スイッチが配下の通信端末との音声パスを切り換えて、外部ネットワークの通信端末の通話を転送する交換システムでは、その転送の際に、外部ネットワークの通信端末は、音声パスの変更やその変更に関する情報交換、保留音の提供などの動作を全く必要としない。
本明細書は、２００１年１２月１９日出願の特願２００１−３８６２５９に基づく。この内容はすべてここに含めておく。
産業上の利用可能性
本発明は、例えば、インターネットやＬＡＮ等を介して通信端末間でリアルタイムで行われる音声通話等を交換する交換システムに適用することができる。
【図面の簡単な説明】
図１は、従来例１の保留システムの構成を示すブロック図、
図２は、従来例２の保留システムの構成を示すブロック図、
図３は、従来例３の交換システムの保留・転送動作を示すシーケンス図、
図４は、本発明の実施の形態１における交換システムの構成を示すブロック図、
図５は、本発明の実施の形態１における通信端末間の保留動作を示すシーケンス図、
図６は、本発明の実施の形態２における交換システムの構成を示すブロック図、
図７は、本発明の実施の形態２における保留メッセージのデータ構造を示すフォーマット図、
図８は、本発明の実施の形態２における通信端末間の保留動作を示すシーケンス図、
図９は、本発明の実施の形態２の変更例における通信端末間の保留動作を示すシーケンス図、
図１０は、本発明の実施の形態２の変更例における情報メッセージのデータ構造を示すフォーマット図、
図１１は、本発明の実施の形態３における交換システムの構成を示すブロック図、
図１２は、本発明の実施の形態３における呼制御装置から通信端末への保留メッセージのデータ構造を示すフォーマット図、
図１３は、本発明の実施の形態３における端末能力情報データベースのデータ構造を示すフォーマット図、
図１４は、本発明の実施の形態３における通信端末間の保留動作を示すシーケンス図、
図１５は、本発明の実施の形態４における交換システムの構成を示すブロック図、
図１６は、本発明の実施の形態４における呼制御装置から通信端末への保留メッセージのデータ構造を示すフォーマット図、
図１７は、本発明の実施の形態４における通信端末間の保留動作を示すシーケンス図、
図１８は、本発明の実施の形態５における交換システムの構成を示すブロック図、
図１９は、本発明の実施の形態５における接続メッセージのデータ構造を示すフォーマット図、
図２０は、本発明の実施の形態５における通信端末間の転送動作を示すシーケンス図、
図２１は、本発明の実施の形態６における交換システムの構成を示すブロック図、
図２２Ａは、本発明の実施の形態６におけるプレゼンス情報要求のデータ構造を示すフォーマット図、
図２２Ｂは、本発明の実施の形態６におけるプレゼンス情報応答のデータ構造を示すフォーマット図、
図２２Ｃは、本発明の実施の形態６における転送メッセージのデータ構造を示すフォーマット図、
図２３は、本発明の実施の形態６におけるプレゼンス情報データベースのデータ構造を示すフォーマット図、
図２４は、本発明の実施の形態６における通信端末間の転送動作を示すシーケンス図、
図２５は、本発明の実施の形態７における交換システムの構成を示すブロック図、
図２６Ａは、本発明の実施の形態７における音声パス情報データベースのデータ構造を示すフォーマット図、
図２６Ｂは、本発明の実施の形態７における音声パス情報データベースのデータ構造を示すフォーマット図、
図２６Ｃは、本発明の実施の形態７における音声パス情報データベースのデータ構造を示すフォーマット図、
図２７は、本発明の実施の形態７における通信端末間の保留動作を示すシーケンス図、
図２８は、本発明の実施の形態７における通信端末間の転送動作を示すシーケンス図である。
【図１】
2003053029.tif 000003
【図２】
2003053029.tif 000004
【図３】
2003053029.tif 000005
【図４】
2003053029.tif 000006
【図５】
2003053029.tif 000007
【図６】
2003053029.tif 000008
【図７】
2003053029.tif 000009
【図８】
2003053029.tif 000010
【図９】
2003053029.tif 000011
【図１０】
2003053029.tif 000012
【図１１】
2003053029.tif 000013
【図１２】
2003053029.tif 000014
【図１３】
2003053029.tif 000015
【図１４】
2003053029.tif 000016
【図１５】
2003053029.tif 000017
【図１６】
2003053029.tif 000018
【図１７】
2003053029.tif 000019
【図１８】
2003053029.tif 000020
【図１９】
2003053029.tif 000021
【図２０】
2003053029.tif 000022
【図２１】
2003053029.tif 000023
【図２２Ａ】
2003053029.tif 000024
【図２２Ｂ】
2003053029.tif 000025
【図２２Ｃ】
2003053029.tif 000026
【図２３】
2003053029.tif 000027
【図２４】
2003053029.tif 000028
【図２５】
2003053029.tif 000029
【図２６Ａ】
2003053029.tif 000030
【図２６Ｂ】
2003053029.tif 000031
【図２６Ｃ】
2003053029.tif 000032
【図２７】
2003053029.tif 000033
【図２８】
2003053029.tif 000034
【国際調査報告】
2003053029.tif 000035
2003053029.tif 000036
2003053029.tif 000037
2003053029.tif 000038
2003053029.tif 000039
2003053029.tif 000040